(57)【要約】【課題】光ディスクなどの記録媒体にレーベル印刷やデータ記録する印刷・記録装置を制御するための情報処理装置であり、印刷ミスが発生した場合の無駄な作業を極力無くす。【解決手段】印刷＋記録処理、またはデータ記録処理、または印刷処理をユーザに選択させる最初の処理メニュー画面において、印刷処理をデータ記録処理よりも先に行うことをユーザに促す推奨メッセージ表示を行うだけでなく、データ記録処理の単独実行過程においては、光ディスクのレーベル面に付加印刷画像が無いことが検出判断された際に、同推奨メッセージ表示と共に記録中止／続行の確認メッセージを表示させ、また、印刷処理の単独実行過程においては、光ディスクに既に電子データの記録があることが検出判断された際に、今後はデータ記録処理よりも先に印刷処理を行うべきことをユーザに促す推奨メッセージ表示を行うようにした。【選択図】      図１
2006099922.tif 000002
【特許請求の範囲】
【請求項１】
記録媒体に電子データを記録する機能および前記記録媒体に印刷データを印刷する機能を有する電子装置を制御する情報処理装置であって、
表示手段と、
前記電子装置で記録および印刷処理を行うためのガイドメッセージを前記表示手段に表示する表示制御手段とを備え、
前記表示制御手段は、少なくとも前記電子装置での記録媒体への記録および印刷の動作前に、前記記録媒体への記録より先に前記記録媒体への印刷を行うべきことを促す所定のガイドメッセージを前記表示手段に表示することを特徴とする情報処理装置。
【請求項２】
記録媒体に電子データを記録する機能を有する電子装置を制御する情報処理装置であって、
表示手段と、
前記電子装置で記録処理を行うためのガイドメッセージを前記表示手段に表示する表示制御手段とを備え、
前記表示制御手段は、少なくとも前記電子装置での記録媒体への記録の動作前に、前記記録媒体への記録より先に前記記録媒体の表面への印刷を行うべきことを促す所定のガイドメッセージを前記表示手段に表示することを特徴とする情報処理装置。
【請求項３】
前記表示制御手段は、前記電子装置に備える印刷画像検出手段により前記記録媒体の表面の任意の印刷画像が検出されない場合に、前記所定のメッセージを前記表示手段に表示することを特徴とする請求項２に記載の電子装置。
【請求項４】
記録媒体の表面に印刷データを印刷する機能を有する電子装置を制御する情報処理装置であって、
表示手段と、
前記電子装置での印刷処理を行うためのガイドメッセージを前記表示手段に表示する表示制御手段とを備え、
前記表示制御手段は、少なくとも前記電子装置での記録媒体への印刷の動作前に、前記記録媒体への記録より先に前記記録媒体の表面への印刷を行うべきことを促す所定のメッセージを前記表示手段に表示することを特徴とする情報処理装置。
【請求項５】
前記表示制御手段は、前記電子装置に備える記録検出手段により前記記録媒体に電子データの記録が検出された場合に、前記所定のメッセージを前記表示手段に表示することを特徴とする請求項４に記載の情報処理装置。
【請求項６】
記録媒体に電子データを記録する機能および前記記録媒体の表面に印刷データを印刷する機能を有する電子装置を制御する情報処理装置であって、
表示手段と、
前記表示手段に、前記電子装置で記録および印刷処理を行うためのガイドメッセージを表示する表示制御手段と、
前記情報処理装置の制御を行う制御手段とを備え、
前記表示制御手段は、前記表示手段に、前記記録媒体の表面に印刷を行うための印刷ガイドメッセージ、前記記録媒体への印刷内容の確認を促す確認ガイドメッセージおよび前記記録媒体に電子データの記録を行うための記録ガイドメッセージの順序で表示し、
前記制御手段は、前記表示制御手段によって表示される前記印刷ガイドメッセージに対応して行われる操作に基づいて、前記電子装置に印刷データを転送し、前記確認ガイドメッセージに対応して行われる確認操作の後に、前記記録ガイドメッセージに対応して行われる操作に基づいて、前記電子装置に電子データを転送することを特徴とする情報処理装置。
【発明の詳細な説明】
【技術分野】
【０００１】
本発明は、光ディスクなどの記録媒体の表面にレーベル印刷を施したり当該記録媒体のデータ記録面に電子データを記録したりするための印刷・記録装置を制御する情報処理装置に関する。
【背景技術】
【０００２】
従来、ＣＤやＤＶＤなどの光ディスクは、予めその記録面に音楽や映像のデータが記録されると共に、レーベル面には記録データの内容に応じたタイトル印刷が予め施されて販売されユーザが購入するケースが一般的であった。最近では、データ書き込み可能な光ディスクドライバを搭載したパーソナルコンピュータの普及により、データ未記録の光ディスクに対してユーザ個人で任意のデータを記録したり、当該光ディスク用のレーベル印刷装置を使用してユーザ自身で所望のタイトル印刷を施したりして、オリジナルな内容，印刷表記の光ディスクをユーザ個人で作成できるようになっている。
【０００３】
そして、光ディスクに対するデータの記録と該ディスクレーベル面に対する所望のタイトル印刷とを１台の装置でかつ一連の工程で行えるようにした光ディスクの情報記録装置が考えられている（例えば、特許文献１参照。）。
【０００４】
この光ディスクの情報記録装置では、データ記録部による光ディスクへのデータの記録が終了した後にスイッチが切り換えられ、予め入力作成しておいた印刷データをレーベル印刷部により同光ディスクのレーベル面に印刷するものである。このように１台の装置でかつ一連の工程で行えるようにすることで、光ディスクに対するデータの記録と印刷の作業とを簡単に行うことができる。
【特許文献１】特開平０６−０３１９０６号公報
【発明の開示】
【発明が解決しようとする課題】
【０００５】
しかしながら、前記従来の光ディスクの情報記録装置では、まず未使用の光ディスクに対してデータ記録部にてデータの記録を行い、続いて、レーベル印刷部に切り換えて印刷を行うものであるが、記録データに対応する印刷すべきタイトルの入力をミスし、そのミス入力した印刷データを印刷してしまったことを印刷後に気付いた場合には、前段にて行ったデータの記録は有効であるにもかかわらず、タイトルの印刷ミスのために、作業を完了した光ディスクを廃棄せざるを得ないことがある。そして、単に光ディスクを無駄にするだけではなく、この印刷作業のミスのために、その前段で有効に行われた記録作業が無駄となってしまい、この一連の記録・印刷作業をやり直す必要がある。
【０００６】
本発明は、前記のような問題に鑑みなされたもので、光ディスクなどの記録媒体に電子データを記録する機能や、そのデータ記録に対応して記録媒体にタイトルなどを印刷する機能、あるいはそれらの両機能を有する印刷・記録装置を制御するための情報処理装置であって、その印刷機能を用いた記録媒体への印刷で印刷ミスが発生することがあっても、その印刷と対応する記録媒体への電子データの記録作業が前記印刷ミスが原因で無駄になることを極力無くすることが可能になる情報処理装置を提供することを目的とする。
【課題を解決するための手段】
【０００７】
請求項１に記載の発明は、記録媒体に電子データを記録する機能および前記記録媒体に印刷データを印刷する機能を有する電子装置を制御する情報処理装置であって、表示手段と、前記電子装置で記録および印刷処理を行うためのガイドメッセージを前記表示手段に表示する表示制御手段とを備え、前記表示制御手段は、少なくとも前記電子装置での記録媒体への記録および印刷の動作前に、前記記録媒体への記録より先に前記記録媒体への印刷を行うべきことを促す所定のガイドメッセージを前記表示手段に表示することを特徴としている。
【０００８】
請求項２に記載の発明は、記録媒体に電子データを記録する機能を有する電子装置を制御する情報処理装置であって、表示手段と、前記電子装置で記録処理を行うためのガイドメッセージを前記表示手段に表示する表示制御手段とを備え、前記表示制御手段は、少なくとも前記電子装置での記録媒体への記録の動作前に、前記記録媒体への記録より先に前記記録媒体の表面への印刷を行うべきことを促す所定のガイドメッセージを前記表示手段に表示することを特徴としている。
【０００９】
請求項３に記載の発明は、請求項２に記載の情報処理装置において、前記表示制御手段は、前記電子装置に備える印刷画像検出手段により前記記録媒体の表面の任意の印刷画像が検出されない場合に、前記所定のメッセージを前記表示手段に表示することを特徴としている。
【００１０】
請求項４に記載の発明は、記録媒体の表面に印刷データを印刷する機能を有する電子装置を制御する情報処理装置であって、表示手段と、前記電子装置での印刷処理を行うためのガイドメッセージを前記表示手段に表示する表示制御手段とを備え、前記表示制御手段は、少なくとも前記電子装置での記録媒体への印刷の動作前に、前記記録媒体への記録より先に前記記録媒体の表面への印刷を行うべきことを促す所定のメッセージを前記表示手段に表示することを特徴としている。
【００１１】
請求項５に記載の発明は、請求項４に記載の情報処理装置において、前記表示制御手段は、前記電子装置に備える記録検出手段により前記記録媒体に電子データの記録が検出された場合に、前記所定のメッセージを前記表示手段に表示することを特徴としている。
【００１２】
請求項６に記載の発明は、記録媒体に電子データを記録する機能および前記記録媒体の表面に印刷データを印刷する機能を有する電子装置を制御する情報処理装置であって、表示手段と、前記表示手段に、前記電子装置で記録および印刷処理を行うためのガイドメッセージを表示する表示制御手段と、前記情報処理装置の制御を行う制御手段とを備え、前記表示制御手段は、前記表示手段に、前記記録媒体の表面に印刷を行うための印刷ガイドメッセージ、前記記録媒体への印刷内容の確認を促す確認ガイドメッセージおよび前記記録媒体に電子データの記録を行うための記録ガイドメッセージの順序で表示し、前記制御手段は、前記表示制御手段によって表示される前記印刷ガイドメッセージに対応して行われる操作に基づいて、前記電子装置に印刷データを転送し、前記確認ガイドメッセージに対応して行われる確認操作の後に、前記記録ガイドメッセージに対応して行われる操作に基づいて、前記電子装置に電子データを転送することを特徴としている。
【発明の効果】
【００１３】
請求項１に記載の情報処理装置によれば、記録媒体に電子データを記録する機能および印刷データを印刷する機能を有する電子装置での記録媒体への記録および印刷の動作前に、該記録媒体への記録より先に印刷を行うべきことを促す所定のガイドメッセージを表示する構成とし、記録媒体に対して行う記録および印刷作業の手順を、印刷作業を先にすべきことを案内することにしたので、その案内の指示に従って作業するユーザに対して、印刷作業の結果を確認した上で記録作業を行うか否かを判断する機会を与えることができる。従って、記録媒体に電子データを記録しその電子データに対応してタイトルなどの所定の印刷をしようとするユーザは、記録媒体への印刷後に印刷結果を確認することができ、そこで印刷ミスを発見した場合には、その後の記録作業を行うことを中止することができるため、ユーザが無駄な記録作業を行うことを事前に回避させることができる。
【００１４】
請求項２に記載の情報処理装置によれば、記録媒体に電子データを記録する機能を有する電子装置での記録媒体への記録の動作前に、当該記録媒体への記録より先に記録媒体の表面への印刷を行うべきことを促す所定のガイドメッセージを表示する構成とし、記録媒体に対して記録作業を行う前に印刷を行うべきことを案内することにしたので、その案内の指示に従って作業するユーザに対して、印刷結果を確認し、印刷結果に間違いのない記録媒体についてのみ記録作業を行うようにする機会を与えることができる。従って、記録媒体に電子データを記録しその電子データに対応してタイトルなどの所定の印刷をしようとするユーザは、記録に先立って印刷を行い、その印刷結果のチェックにより、印刷をミスした記録媒体は除外して印刷間違いのない記録媒体に対してのみ記録を行うことができるため、印刷ミスによって記録作業が無駄になる不都合を回避することができる。
【００１５】
請求項３に記載の発明によれば、請求項２に記載の情報処理装置において、記録媒体の表面に施されるタイトル文字などの任意の印刷画像を検出するための印刷画像検出手段により任意の印刷画像が検出されなければ、タイトル文字などの印刷が未処理のため、印刷ミスによる記録作業の無駄を回避するべく、記録媒体への記録より先に記録媒体の表面への印刷を行うべきことを促す所定のガイドメッセージを発生して、ユーザに所定の作業手順に従うように注意喚起することができる。
【００１６】
請求項４に記載の情報処理装置によれば、記録媒体の表面に印刷データを印刷する機能を有する電子装置での記録媒体への印刷の動作前に、当該記録媒体への記録より先にこの記録媒体の表面への印刷を行うべきことを促す所定のメッセージを表示する構成としたので、当該記録媒体に電子データが記録済ある場合、あるいは未記録のいずれの場合であっても、このメッセージ表示によって、次回からは、あるいは次回も印刷処理を記録処理より先に行うことが望ましいという意識付けをユーザに対して行うことができる。そして、この印刷処理を記録処理に先行させるべきとの意識付けに沿ってユーザの作業行動を促進させることで、記録処理を印刷処理に先行させた場合に生じる虞のある印刷ミスに起因する記録作業の無駄を極力なくすることができる。
【００１７】
請求項５に記載の発明によれば、請求項４に記載の情報処理装置において、記録検出手段により印刷すべき記録媒体に電子データが記録されていることが検出された場合には、印刷処理を記録処理に先行させるべきとする作業手順に反した手順で半ば作業が進んでいることになるが、当該記録媒体への記録より先にこの記録媒体の表面への印刷を行うべきことを促す所定のメッセージを表示することで、ユーザはこのメッセージ表示に従って、今後は印刷処理を先に行うように意識でき、記録処理を印刷処理に先行させた場合に生じる虞のある印刷ミスに起因する記録作業の無駄を極力なくすることができる。
【００１８】
請求項６に記載の情報処理装置によれば、記録媒体への電子データの記録およびその記録媒体表面への印刷データの印刷機能を有する電子装置を制御して記録媒体への記録および印刷を続けて行うにあたって、印刷を行うための印刷ガイドメッセージ、その印刷内容の確認を促す確認ガイドメッセージ、記録を行うための記録ガイドメッセージの順序で表示して、その順序に従って、印刷、印刷結果の確認及び記録の各作業処理に関する操作をユーザに対応させることができる。従って、印刷作業の後に記録作業を進めることができ、記録作業が印刷作業に先行して行われる場合に、印刷ミスによって生じる虞のある記録作業を再作業する無駄をなくすることができる。また記録作業の前に印刷結果を確認することができるようになり、より確実に印刷ミスを発見できる機会が増えて無駄な作業を極力回避することができる。  よって本発明によれば、光ディスクなどの記録媒体にレーベル印刷したりデータ記録したりする印刷・記録装置を制御する際に、印刷ミスが発生した場合の無駄な作業を極力無くすことが可能になる情報処理装置を提供できる。
【発明を実施するための最良の形態】
【００１９】
以下図面により本発明の実施の形態について説明する。
【００２０】
（第１実施形態）
図１は、本発明の情報処理装置の第１実施形態に係わる光ディスク記録・印刷システムの外観構成を示す図である。
【００２１】
この光ディスク記録・印刷システムでは、当該システム制御の主体となるパーソナルコンピュータ１０が備えられ、このパーソナルコンピュータ１０には、ＣＤやＤＶＤなどの光ディスク（記録媒体）１８に対して電子データの記録およびタイトルなどの印刷を行うための記録・印刷装置１４が接続される。
【００２２】
前記パーソナルコンピュータ１０は、コンピュータ本体１１、キーボード１２、ディスプレイ１３によって構成され、ユーザはキーボード１２を操作してディスプレイ１３に表示されるガイドメッセージなどを参照しながらコンピュータ本体１１に対して記録・印刷装置１４における記録・印刷動作の制御を行わせる。
【００２３】
記録印刷装置１４の装置本体１４ａには、その前面方向にスライドして引き出されるディスクトレイ１５が設けられ、またその前面パネルには電源ボタン１６やディスクイジェクトボタン１７が設けられる。このイジェクトボタン１７の操作に応じてディスクトレイ１５が装置本体１４ａの内部から外部へまたはその外部から内部へスライドし、光ディスク１８の排出／収納を行う。
【００２４】
図２は、前記光ディスク記録・印刷システムにおける記録・印刷装置１４の主要部の構成を示す断面図である。
【００２５】
この図２では、記録・印刷装置１４の装置本体１４ａに対してディスクトレイ１５が完全に収納された状態を示している。
【００２６】
ディスクトレイ１５が収納される装置本体１４ａの底面上には、当該ディスクトレイ１５の収納／排出動作を行うトレイモータ２０、トレイモータ２０の回転軸に固定され当該トレイモータ２０の回転力をディスクトレイ１５のスライド動作に変換，伝達するスクリューシャフト２１が搭載される。
【００２７】
ディスクトレイ１５には、光ディスク１８を回転させるスピンドルモータ１９や光学的読み書きに必要なピックアップ部２２、スクリューシャフト２４、スレッドモータ２３などを搭載したピックモジュール２２Ａが搭載される。
【００２８】
スピンドルモータ１９の回転軸の上端部には、爪状のチャッキング部１９ａが設けられて、このチャッキング部１９ａにより、光ディスク１８はスピンドルモータ１９の回転軸に固定される。
【００２９】
前記ピックモジュール２２Ａのピックアップ部２２は、スクリューシャフト２４により、ディスクトレイ収納時における光ディスク１８の中心軸付近から、半径方向に沿って動きが規制されている。スレッドモータ２３は、スクリューシャフト２４を回転することによって、ピックアップ部２２を光ディスク１８の内周と外周の間を半径方向に移動させる。そして、ピックアップ部２２は、光ディスク１８の内周と外周の間を移動しながら、内蔵するピック（図示せず）によって、光ディスク１８の裏面（データ記録面）への電子データの光学的読み出し及び光学的記録を行う。
【００３０】
印刷モジュール２９は、キャリッジ２６を光ディスク１８の表面（レーベル面）に対向して図示の奥行き方向と手前方向との間で水平に往復運動させる目的で装置本体１４ａに固定されたガイドレール２５、前記キャリッジ２６に搭載されてインクを吐出する印字ヘッド２８およびキャリッジモータ２７から構成される。キャリッジモータ２７が回転することによりガイドレール２５に沿ってキャリッジ２６が光ディスク１８のレーベル面上を往復運動する仕組みとなっている。
【００３１】
また、ディスクトレイ１５によって装置本体１４ａ内に収納された光ディスク１８の表面（レベール面）に対向する上方には、当該光ディスク１８の内周側と外周側とその中間位置に対向する３箇所に、当該ディスク表面の印刷パターンを光学的に検出するための光反射型センサ３０ａ，３０ｂ，３０ｃを配列してなる印刷面センサ部３０が設けられる。
【００３２】
図３は、前記光ディスク記録・印刷システムにおける電子回路の構成を示すブロック図である。
【００３３】
コンピュータ本体１１には、図示しない制御中枢としてのＣＰＵ、このＣＰＵによる制御動作を司るシステム制御プログラムを記憶したハードディスクメモリ、制御動作に伴う種々のデータを必要に応じて書き込み／読み出すためのフラッシュＲＯＭなどが搭載され、このコンピュータ本体１１からの制御指令信号によって外部機器インターフェイス１１ａを介し接続された記録・印刷装置１４が制御される。
【００３４】
記録・印刷装置１４は、ＣＰＵ３１、ＲＯＭ３２を備える。
【００３５】
ＣＰＵ３１は、前記パーソナルコンピュータ本体１１からの制御指令信号に従ってＲＯＭ３２に予め記憶されているデータ記録制御プログラムあるいは印刷制御プログラムを起動させ、回路各部の動作制御処理を行う。
【００３６】
ＲＯＭ３２には、前記データ記録制御プログラム、印刷制御プログラムの他に、市販されている各種光ディスク１８（ＣＤ−ＲＷやＤＶＤ−ＲＷ）それぞれの表面（レーベル面）にプレ印刷されたプレ印刷パターンデータが、各種別の商品番号に対応付けされて予め記憶される。なお、ここで記憶される光ディスク１８のプレ印刷パターンデータは、その表面（レーベル面）に印刷されたプレ印刷画像を、その内周側、外周側、およびその中間位置の３箇所において当該光ディスク１８を１周回転させて読み取ったライン状の白黒２値のパターンデータである。従って、前記図２で示した印刷面センサ部３０によって光ディスク１８を回転させながら検出した当該光ディスク１８の印刷パターンデータが、プレ印刷のままで追加の印刷が施されていない場合の印刷パターンデータである場合には、前記ＲＯＭ３２に予め記憶された何れかの種類の光ディスク１８のプレ印刷パターンデータと一致し、ユーザ個人によるオリジナルの付加印刷がされていないと判断できる。
【００３７】
また、ＣＰＵ３１には、前記ＲＯＭ３２、印刷面センサ部３０が接続される他に、当該ＣＰＵ３１が行うデータ記録制御や印刷制御に応じて入力出力される各種のデータを一時記憶するためのＲＡＭ３３が接続され、さらに、前記スピンドルモータ１９のドライバ回路１９Ｄ、トレイモータ２０のドライバ回路２０Ｄ、ピックアップ部２２のドライバ回路２２Ｄ、スレッドモータ２３のドライバ回路２３Ｄ、キャリッジモータ２７のドライバ回路２７Ｄ、印字ヘッド２８のドライバ回路２８Ｄが接続される。
【００３８】
そして、ＣＰＵ３１は、前記パーソナルコンピュータ本体１１からの制御指令信号に応じて起動される印刷制御プログラムに従ってキャリッジモータ２７、印字ヘッド２８を駆動制御し、前記パーソナルコンピュータ本体１１にて作成されて転送されてくる印刷データを印字ヘッド２８から該光ディスク１８のレーベル面に印刷させ、また、データ記録制御プログラムに従ってスピンドルモータ１９、スレッドモータ２３、ピックアップ部２２を駆動制御し、光ディスク１８を回転させながら前記パーソナルコンピュータ本体１１から任意に入力選択されて転送されてくる電子データをピックアップ部２２から該光ディスク１８のデータ記録面に記録させる。
【００３９】
次に、前記構成の第１実施形態による光ディスク記録・印刷システムの動作について説明する。
【００４０】
図４は、前記光ディスク記録・印刷システムの全体処理を示すフローチャートである。
【００４１】
パーソナルコンピュータ１０において、ユーザによるキーボード１２の操作に基づいて、記録・印刷装置１４にセットした光ディスク１８に対する印刷＋記録の連続制御、またはデータ記録の単独制御、またはレーベル印刷の単独制御の何れかを選択的に行うための制御が開始されると、当該印刷＋記録処理、またはデータ記録処理、または印刷処理をユーザに選択させるための処理メニュー画面がディスプレイ１３に表示されると共に、この処理メニュー画面には、印刷処理をデータ記録よりも先に行うことをユーザに促すメッセージデータが表示される（ステップＳ１）。
【００４２】
ユーザは、このディスプレイ１３によるメッセージ表示を見て、光ディスク１８に対してはデータ記録よりも先に印刷を行うことが推奨されているとの認識を行うもので、このメッセージ認識に従って、例えばレーベル印刷の後にデータ記録を行うようにすると、例えばデータ記録を行った後にレーベル印刷を行うことで印刷ミスが生じてしまった場合のデータ記録の無駄を無くすことがきる。
【００４３】
そして、前記パーソナルコンピュータ１０のディスプレイ１３における処理メニュー表示において、印刷＋記録処理が選択されると、図５に示す記録と印刷の処理に移行され（ステップＳ２→ＳＡ）、またはデータ記録処理が選択されると、図６に示す記録の処理に移行され（ステップＳ２→ＳＢ）、または印刷処理が選択されると、図７に示す印刷の処理に移行される（ステップＳ２→ＳＣ）。
【００４４】
図５は、前記光ディスク記録・印刷システムによる記録と印刷の処理を示すフローチャートである。
【００４５】
パーソナルコンピュータ１０において、記録と印刷の処理（ステップＳＡ）が起動されると、光ディスク１８にレーベル印刷すべき印刷データの入力編集処理状態となる（ステップＡ１）。この印刷データの入力編集処理状態において、例えば予め定められたレーベル印刷の書式パターンや印刷フォントの種類などを設定して前記光ディスク１８に記録すべきデータのタイトルを入力して印刷データを確定すると、この印刷データにてレーベル印刷を実行するか否かをユーザに促すガイドメッセージがディスプレイ１３に表示される（ステップＡ２）。
【００４６】
この印刷実行ガイドメッセージ画面に従って、例えばそのメッセージ画面内に表記された「実行」ボタンが指定操作されることで、印刷実行と判断されると（ステップＡ３）、例えば前記印刷データにてレーベル印刷を実行した場合の印刷プレビュー画面がディスプレイ１３に表示され、ユーザにその印刷状態で良いか否かの確認が促される（ステップＡ４，Ａ５）。
【００４７】
この印刷プレビュー画面に従って、例えばその画面内に表記された「ＯＫ」ボタンが指定操作されることで、確認ＯＫと判断されると、当該確認された前記印刷データがパーソナルコンピュータ本体１１から記録・印刷装置１４に転送されてＲＡＭ３３内の印刷バッファに印刷用ドットパターンのデータとして展開される。そして、この印刷ドットパターンデータに従いドライバ回路２８Ｄにより印字ヘッド２８が駆動さると共に、ドライバ回路２７Ｄによりキャリッジモータ２７が駆動され、ディスクトレイ１５に載置されてセットされている光ディスク１８の表面（レーベル面）上の所定の印刷エリアに対して前記印刷データが印刷される（ステップＡ５→Ａ６）。
【００４８】
こうして、光ディスク１８に対して所望の印刷データによるレーベル印刷が行われると、その印刷後、ドライバ回路２０Ｄによりトレイモータ２０が駆動されてディスクトレイ１５が排出され（ステップＡ７）、光ディスク１８に対する実際のレーベル印刷状態を確認して処理の続行を継続して実行するか否かをユーザに促す印刷確認ガイドメッセージがディスプレイ１３に表示される（ステップＡ８）。
【００４９】
この印刷確認ガイドメッセージ画面に従って、例えばそのメッセージ画面内に表記された「実行」ボタンが指定操作されることで、継続実行と判断されると（ステップＡ９）、前記ドライバ回路２０Ｄによりトレイモータ２０が駆動されて前記レーベル印刷済みの光ディスク１８がセットされているディスクトレイ１５が収納される（ステップＡ９→Ａ１０）。
【００５０】
すると、パーソナルコンピュータ１０におけるユーザ操作に応じて指定された、前記光ディスク１８に記録すべき所望の電子データが、パーソナルコンピュータ本体１１の例えばハードディスクメモリから読み出されて記録・印刷装置１４に転送され、ＲＡＭ３３内の記録バッファに記憶されると共に（ステップＡ１１）、当該電子データの前記光ディスク１８への記録を実行するか否かユーザに促す記録実行ガイドメッセージがディスプレイ１３に表示される（ステップＡ１２）。
【００５１】
この記録実行ガイドメッセージに従って、例えばそのメッセージ画面内に表記された「実行」ボタンが指定操作されることで、記録実行と判断されると（ステップＡ１３）、ドライバ回路１９Ｄおよび２３Ｄによりスピンドルモータ１９およびスレッドモータ２３が駆動されて光ディスク１８の回転およびピックアップ部２２の移動走査が開始されるのに伴い、前記ＲＡＭ３３内の記録バッファに転送記憶されている電子データに従ってドライバ回路２２Ｄによりピックアップ部２２が駆動され、ユーザ所望の電子データがディスクトレイ１５に載置されている光ディスク１８の裏面（データ記録面）に対して記録される（ステップＡ１４）。
【００５２】
一方、前記ステップＡ９において、前記印刷確認ガイドメッセージ画面に従って、例えば光ディスク１８のレーベル印刷にタイトルミスなどの印刷データそれ自体の入力ミスあるいは印字不良などが見つかり、そのメッセージ画面内に表記された「中止」ボタンが指定操作されることで、継続中止と判断されると（ステップＡ９）、この後のデータ記録処理には移行せずに処理が中止される（ステップＡ９（Ｎｏ））。
【００５３】
従ってこの場合には、レーベル印刷ミスが生じた光ディスク１８に対して、知らずにそのままデータ記録処理までも行ってしまうことがないので、そのデータの記録作業が無駄になってしまうことはない。
【００５４】
図６は、前記光ディスク記録・印刷システムによる記録の処理を示すフローチャートである。
【００５５】
パーソナルコンピュータ１０での処理メニュー表示（ステップＳ１）において、データ記録処理が選択されることで（ステップＳ２）、図６に示す記録の処理（ステップＳＢ）が起動されると、当該パーソナルコンピュータ１０におけるユーザ操作に応じて指定された、前記光ディスク１８に記録すべき所望の電子データが、パーソナルコンピュータ本体１１の例えばハードディスクメモリから読み出されて記録・印刷装置１４に転送され、ＲＡＭ３３内の記録バッファに記憶される（ステップＢ１）。そして、この電子データの光ディスク１８への記録を実行するか否かをユーザに促す記録実行ガイドメッセージがディスプレイ１３に表示される（ステップＢ２）。
【００５６】
この記録実行ガイドメッセージに従って、例えばそのメッセージ画面内に表記された「実行」ボタンが指定操作されることで、記録実行と判断されると（ステップＢ３）、ドライバ１９Ｄによりスピンドルモータ１９が駆動されて光ディスク１８が回転されるのに伴い、印刷面センサ部３０により当該光ディスク１８表面（レーベル面）の印刷パターンデータが検出されＲＡＭ３３に記憶される（ステップＢ４）。そして、ＲＯＭ３２に予め記憶されている各種の光ディスク１８…それぞれのプレ印刷パターンデータとの比較処理が行われ、その全種類のプレ印刷パターンデータについて不一致であるか、つまり現在データ記録対象としている光ディスク１８の表面（レーベル面）には、ユーザ個人によるオリジナルのレーベル印刷（付加印刷）が既に施されているか、未だ施されていないか判断される（ステップＢ５）。
【００５７】
ここで、前記印刷面センサ部３０により検出された光ディスク１８表面（レーベル面）の印刷パターンデータが、ＲＯＭ３２に予め記憶されている各種の光ディスク１８…それぞれのプレ印刷パターンデータと全種類不一致となり、当該光ディスク１８には既にユーザ個人によるオリジナルのレーベル印刷（付加印刷）が施されていると判断された場合には（ステップＢ５（Ｙｅｓ））、ドライバ回路１９Ｄおよび２３Ｄによりスピンドルモータ１９およびスレッドモータ２３が駆動されて光ディスク１８の回転およびピックアップ部２２の移動走査が開始されるのに伴い、前記ＲＡＭ３３内の記録バッファに転送記憶されている電子データに従ってドライバ回路２２Ｄによりピックアップ部２２が駆動され、ユーザ所望の電子データがディスクトレイ１５に載置されている光ディスク１８の裏面（データ記録面）に対して記録される（ステップＢ６）。
【００５８】
一方、前記ステップＢ５において、印刷面センサ部３０により検出された光ディスク１８表面（レーベル面）の印刷パターンデータが、ＲＯＭ３２に予め記憶されている各種の光ディスク１８…それぞれのプレ印刷パターンデータの何れかと一致し、当該光ディスク１８にはユーザ個人によるオリジナルのレーベル印刷（付加印刷）が未だ施されてないと判断された場合には（ステップＢ５（Ｎｏ））、このデータ記録処理よりも先に所望のレーベル印刷処理を行うべきことをユーザに推奨するメッセージと共に、このデータ記録処理をここで中止するかまたは続行するかのユーザ選択を促す確認メッセージがディスプレイ１３に表示される（ステップＢ７）。
【００５９】
そして、前記データ記録中止／続行の確認メッセージ表示に従って、そのメッセージ画面内に表記された「中止」ボタンが指定操作されることで、記録中止と判断されると（ステップＢ８（Ｙｅｓ））、この後のデータ記録処理（ステップＢ６）には移行せずに処理が中止される。
【００６０】
従ってこの場合には、光ディスク１８に対して始めにデータ記録処理を行ってしまう以前に、その記録予定の電子データに対応したレーベル印刷処理を予め行うことができるようになり、例えばデータ記録後のレーベル印刷によって印刷ミスが生じてしまった場合に、その一連の作業および光ディスク１８を無駄にしてしまうリスクを事前に回避することができる。
【００６１】
一方、前記ステップＢ８において、そのデータ記録中止／続行の確認メッセージ表示に従って、そのメッセージ画面内に表記された「実行」ボタンが指定操作されることで、記録中止せずと判断されると（ステップＢ８（Ｎｏ））、前記ステップＢ６のデータ記録処理に移行され、前記ＲＡＭ３３内の記録バッファに転送記憶されている電子データに従って、ユーザ所望の電子データがディスクトレイ１５に載置されている光ディスク１８の裏面（データ記録面）に対して記録される。
【００６２】
図７は、前記光ディスク記録・印刷システムによる印刷の処理を示すフローチャートである。
【００６３】
パーソナルコンピュータ１０での処理メニュー表示（ステップＳ１）において、印刷処理が選択されることで（ステップＳ２）、図７に示す印刷の処理（ステップＳＣ）が起動されると、光ディスク１８にレーベル印刷すべき印刷データの入力編集処理状態となる（ステップＣ１）。この印刷データの入力編集処理状態において、例えば予め定められたレーベル印刷の書式パターンや印刷フォントの種類などを設定して前記光ディスク１８に記録すべきデータのタイトルを入力して印刷データを確定すると、この印刷データにてレーベル印刷を実行するか否かをユーザに促すガイドメッセージがディスプレイ１３に表示される（ステップＣ２）。
【００６４】
この印刷実行ガイドメッセージ画面に従って、例えばそのメッセージ画面内に表記された「実行」ボタンが指定操作されることで、印刷実行と判断されると（ステップＣ３）、ドライバ１９Ｄによりスピンドルモータ１９が駆動されて光ディスク１８が回転されるのに伴い、ピックアップ部２２により当該光ディスク１８裏面（データ記録面）の電子データが検出され（ステップＣ４）、既に電子データの記録がされているのか、未だされていないのか判断される（ステップＣ５）。
【００６５】
ここで、今回のレーベル印刷の対象とする光ディスク１８には、未だ電子データの記録がされていないと判断されると（ステップＣ５（Ｎｏ））、パーソナルコンピュータ本体１１から記録・印刷装置１４に対し印刷データが転送されてＲＡＭ３３内の印刷バッファに印刷用ドットパターンのデータとして展開される。そして、この印刷ドットパターンデータに従いドライバ回路２８Ｄにより印字ヘッド２８が駆動さると共に、ドライバ回路２７Ｄによりキャリッジモータ２７が駆動され、ディスクトレイ１５に載置されている電子データ未記録の光ディスク１８の表面（レーベル面）上の所定の印刷エリアに対して前記印刷データが印刷される（ステップＣ７）。
【００６６】
従ってこの場合には、電子データ未記録の光ディスク１８を確認してその記録予定の電子データに対応したユーザ所望のレーベル印刷処理を予め行うことができるようになり、例えばデータ記録後のレーベル印刷によって印刷ミスが生じることで、その一連の作業および光ディスク１８を無駄にしてしまうことがない。
【００６７】
一方、前記ステップＣ５において、今回のレーベル印刷の対象とする光ディスク１８には、既に電子データの記録が行われていると判断されると（ステップＣ５（Ｙｅｓ））、今後はユーザ所望のレーベル印刷処理をデータ記録処理よりも先に行うべきことをユーザに推奨するメッセージがディスプレイ１３に表示され（ステップＣ６）、既に電子データの記録された光ディスク１８の表面（レーベル面）上の所定の印刷エリアに対して前記印刷データが印刷される（ステップＣ７）。
【００６８】
従ってこの場合には、データ記録より先にレーベル印刷を行うべきことの推奨メッセージに基づいて、ユーザに対し、今後にオリジナルの光ディスクを作成する際には、始めにデータ記録処理を行ってしまう以前にレーベル印刷処理を予め行う方が良いとの意識付けを行うことができ、例えばデータ記録後のレーベル印刷によって印刷ミスが生じてしまった場合に、その一連の作業および光ディスク１８を無駄にしてしまうリスクを事前に回避させることができる。
【００６９】
したがって、前記構成の第１実施形態による光ディスク記録・印刷システムによれば、印刷＋記録処理、またはデータ記録処理、または印刷処理をユーザに選択させる最初の処理メニュー画面において、印刷処理をデータ記録処理よりも先に行うことをユーザに促す推奨メッセージ表示を行うだけでなく、データ記録処理の単独実行過程においては、光ディスク１８のレーベル面に付加印刷画像が無いことが検出判断された際に、同推奨メッセージ表示と共に記録中止／続行の確認メッセージを表示させ、また、印刷処理の単独実行過程においては、光ディスク１８に既に電子データの記録があることが検出判断された際に、今後はデータ記録処理よりも先に印刷処理を行うべきことをユーザに促す推奨メッセージ表示を行うようにしたので、光ディスク１８に対して始めにデータ記録処理を行ってしまう以前に、その記録予定の電子データに対応したレーベル印刷処理を予め行うことができるようになり、例えばデータ記録後のレーベル印刷によって印刷ミスが生じてしまった場合に、その一連の作業および光ディスク１８を無駄にしてしまうリスクを事前に回避することができる。
【００７０】
また、前記印刷＋記録処理の選択実行過程においては、ユーザ所望の印刷データに対応したレーベル印刷処理を行った後に、ユーザが任意に指定した電子データの記録処理を行う手順としただけでなく、実際の印刷実行前にはその印刷内容の確認表示を行い、また印刷実行後には光ディスク１８を排出してその印刷状態のユーザ確認と共に、データ記録処理への続行の可否を促すメッセージ表示を行うようにしたので、レーベル印刷ミスが生じた光ディスク１８に対して、知らずにそのままデータ記録処理までも行ってしまうことがなく、そのデータの記録作業が無駄になってしまう事態を事前に回避することができる。
【００７１】
なお、前記第１実施形態の光ディスク記録・印刷システムでは、１台の装置で光ディスク１８に対するレーベル印刷処理と電子データの記録処理とを一連の工程として行うことのできる記録・印刷装置１４をパーソナルコンピュータ１０に接続して使用した場合について説明したが、次の第２実施形態において説明するように、光ディスク１８に対するデータ記録・再生処理のみが行えるデータ記録・再生装置１４Ｒとレーベル印刷のみが行える印刷装置１４Ｐとを別々にパーソナルコンピュータ１０に接続して使用した場合でも、前記第１実施形態と同様の記録処理（図６参照）および印刷処理（図７参照）を行うことで、例えばデータ記録後のレーベル印刷において印刷ミスが生じるなどして、その一連の作業および光ディスク１８が無駄になるリスクを最大限回避することができる。
【００７２】
（第２実施形態）
図８は、本発明の情報処理装置の第２実施形態に係わる光ディスク記録・印刷システムで使用する記録装置１４Ｒの主要部の構成を示す断面図である。
【００７３】
図９は、前記第２実施形態の光ディスク記録・印刷システムでパーソナルコンピュータ１０に記録装置１４Ｒを接続した電子回路の構成を示すブロック図である。
【００７４】
記録装置１４Ｒの構成は、前記図２、図３を参照して説明した第１実施形態における記録・印刷装置１４からその印刷機能部である印刷モジュール２９（ガイドレール２５、キャリッジ２６、キャリッジモータ２７、印字ヘッド２８）を除いただけの構成であり、その記録機能部についての説明は同一の符号を付して説明を省略する。なお、この記録装置１４Ｒにも、前記第１実施形態の記録・印刷装置１４と同様に印刷面センサ部３０を設ける。
【００７５】
そして、この記録装置１４Ｒを使用して光ディスク１８に対する電子データの記録処理を行う場合には、前記図６を参照して説明した第１実施形態における記録の処理（ステップＢ１〜Ｂ８）と同様の記録の処理を行う。
【００７６】
従ってこの場合には、光ディスク１８のレーベル面に付加印刷画像が無いことが検出判断された際に、この記録処理より先に印刷処理を行うべきの推奨メッセージ表示と共に記録中止／続行の確認メッセージが表示されるので、光ディスク１８に対して始めにデータ記録処理を行ってしまう以前に、その記録予定の電子データに対応したレーベル印刷処理を予め行うことができるようになり、例えばデータ記録後のレーベル印刷によって印刷ミスが生じてしまった場合に、その一連の作業および光ディスク１８を無駄にしてしまうリスクを事前に回避することができる。
【００７７】
なお、この第２実施形態に係わる光ディスク記録・印刷システムで使用する印刷装置１４Ｐの主要部の構成については、図２で示した記録・印刷装置１４の主要部を参照し、印刷装置１４Ｐとしての図示を省略する。
【００７８】
図１０は、前記第２実施形態の光ディスク記録・印刷システムでパーソナルコンピュータ１０に印刷装置１４Ｐを接続した電子回路の構成を示すブロック図である。
【００７９】
印刷装置１４Ｐの構成は、前記図２、図３を参照して説明した第１実施形態における記録・印刷装置１４からその記録機能部であるピックモジュール２２Ａのうちのピックアップ部２２のみ残してスレッドモータ２３、スクリューシャフト２４を除いた構成であり、その印刷機能部についての説明は同一の符号を付して説明を省略する。なお、この印刷装置１４Ｐには、前記第１実施形態の記録・印刷装置１４で搭載した印刷面センサ部３０は設けない。
【００８０】
そして、この印刷装置１４Ｐを使用して光ディスク１８に対する所望のレーベル印刷処理を行う場合には、前記図７を参照して説明した第１実施形態における印刷の処理（ステップＣ１〜Ｃ７）と同様の印刷の処理を行う。
【００８１】
従ってこの場合には、光ディスク１８に電子データの記録が無いことを確認して印刷処理を実行する一方で、光ディスク１８に既に電子データの記録があることが検出判断された際に、今後はデータ記録処理よりも先に印刷処理を行うべきことをユーザに促す推奨メッセージが表示されるので、ユーザに対し、今後にオリジナルの光ディスクを作成する際には、始めにデータ記録処理を行ってしまう以前にレーベル印刷処理を予め行う方が良いとの意識付けを行うことができ、例えばデータ記録後のレーベル印刷によって印刷ミスが生じてしまった場合に、その一連の作業および光ディスク１８を無駄にしてしまうリスクを事前に回避させることができる。
【００８２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８３】
【図１】本発明の情報処理装置の第１実施形態に係わる光ディスク記録・印刷システムの外観構成を示す図。
【図２】前記光ディスク記録・印刷システムにおける記録・印刷装置１４の主要部の構成を示す断面図。
【図３】前記光ディスク記録・印刷システムにおける電子回路の構成を示すブロック図。
【図４】前記光ディスク記録・印刷システムの全体処理を示すフローチャート。
【図５】前記光ディスク記録・印刷システムによる記録と印刷の処理を示すフローチャート。
【図６】前記光ディスク記録・印刷システムによる記録の処理を示すフローチャート。
【図７】前記光ディスク記録・印刷システムによる印刷の処理を示すフローチャート。
【図８】本発明の情報処理装置の第２実施形態に係わる光ディスク記録・印刷システムで使用する記録装置１４Ｒの主要部の構成を示す断面図。
【図９】前記第２実施形態の光ディスク記録・印刷システムでパーソナルコンピュータ１０に記録装置１４Ｒを接続した電子回路の構成を示すブロック図。
【図１０】前記第２実施形態の光ディスク記録・印刷システムでパーソナルコンピュータ１０に印刷装置１４Ｐを接続した電子回路の構成を示すブロック図。
【符号の説明】
【００８４】
１０  …パーソナルコンピュータ
１１  …パーソナルコンピュータ本体
１１ａ…外部機器インターフェイス
１２  …キーボード
１３  …ディスプレイ
１４  …記録・印刷装置
１４Ｒ…記録装置
１４Ｐ…印刷装置
１５  …ディスクトレイ
１６  …電源ボタン
１７  …ディスクイジェクトボタン
１８  …光ディスク
１９  …スピンドルモータ
１９ａ…チャッキング部
２０  …トレイモータ
２１  …スクリューシャフト（トレイスライド用）
２２Ａ…ピックモジュール
２２  …ピックアップ部
２３  …スレッドモータ
２４  …スクリューシャフト（ピックアップスライド用）
２５  …ガイドレール
２６  …キャリッジ
２７  …キャリッジモータ
２８  …印字ヘッド
２９  …印刷モジュール２９
３０  …印刷面センサ部
３０ａ，３０ｂ，３０ｃ…光反射型センサ
３１  …ＣＰＵ（印刷・記録駆動制御用）
３２  …ＲＯＭ
３３  …ＲＡＭ
【図１】
2006099922.tif 000003
【図２】
2006099922.tif 000004
【図３】
2006099922.tif 000005
【図４】
2006099922.tif 000006
【図５】
2006099922.tif 000007
【図６】
2006099922.tif 000008
【図７】
2006099922.tif 000009
【図８】
2006099922.tif 000010
【図９】
2006099922.tif 000011
【図１０】
2006099922.tif 000012